(57)【特許請求の範囲】
【請求項１】
ムーブメント（３）及び文字板（１１）を備える計時器のための月相表示機構のための月円盤移動機構であって、少なくとも１つの月円盤（１５）及び少なくとも１つの月相列（２０）を備え、少なくとも１つの月相列（２０）は、前記文字板の下に配設し、前記計時器ムーブメント（３）によって駆動し、前記月相列（２０）は、歯付きリング（２７）の形態を取る月相車と噛み合い、前記月相列（２０）によって、前記文字板（１１）の周辺で軸Ａ周りに前記月円盤（１５）を移動させるようにし、前記軸Ａは、前記文字板の中心に配置されている、月相表示機構のための月円盤移動機構において、
前記月相車は、前記歯付きリング（２７）上に組み付けた中間部品（５０）により、前記月円盤（１５）を少なくとも間接的且つ固定式に保持し、前記中間部品（５０）は、前記文字板（１１）及び前記ムーブメント（３）を囲繞することを特徴とする、月相表示機構のための月円盤移動機構。
【請求項２】
前記中間部品（５０）は、突出する外周縁を有するリングの形態を取り、前記外周縁の上に、前記月円盤（１５）を固着する、請求項１に記載の月相表示機構のための月円盤移動機構。
【請求項３】
前記歯付きリング（２７）は、前記歯付きリング（２７）の内側縁上に配置した歯部（２７０）を備え、前記歯付きリング（２７）は、歯数が１７５である、請求項１又は２に記載の月相表示機構のための月円盤移動機構。
【請求項４】
月の一周期で前記文字板（１１）に対し一回転させるように構成した単一の月円盤（１５）を備える、請求項１から３のうちいずれか一項に記載の月相表示機構のための月円盤移動機構。
【請求項５】
前記計時器ムーブメント（３）は、少なくとも１つの筒車を更に含み、前記筒車と前記月相車との伝達比は、０．０１６９３１６に等しい、請求項１から４のうちいずれか一項に記載の月相表示機構のための月円盤移動機構。
【請求項６】
前記月相列（２０）に作用することによって、前記月円盤（１５）の位置を修正するデバイスを含む、請求項１から５のうちいずれか一項に記載の月相表示機構のための月円盤移動機構。
【請求項７】
前記修正デバイスは、修正りゅうず（２）、前記月相列（２０）と一体である少なくとも１つの修正車セット、及び前記月円盤（１５）の位置を修正する際に前記月相列（２０）の全て又は一部を前記ムーブメント（３）から分離するように構成した摩擦システムを備える、請求項６に記載の月相表示機構のための月円盤移動機構。
【請求項８】
請求項１から７のうちいずれか一項に記載の月相表示機構のための月円盤移動機構を備える計時器。
【発明の詳細な説明】
【技術分野】
【０００１】
本発明は、計時器のための月相表示機構に関する。
【背景技術】
【０００２】
月相表示デバイスは、長い間存在しており、月を象徴する２つの黄色い円を暗色背景上に描いた月円盤を含む一方で、文字板内の実質的に半円形の開口が、２つの凹形部品に分離する基部を備えるものであり、これらは全て当業者に周知のものである。この種の月円盤が回転する間、開口の下に様々な月相が表示される。従来、月相表示機構は、筒車によって駆動される歯車列、及び２つの月の絵が上に固定されている円盤から形成される。
【０００３】
例えば、そのようなデバイスを備える時計を提案することは、特許文献１から公知である。
【０００４】
この種の時計の１つの欠点は、表示機構が１日に一度作動されており、月相の現実の表示をもたらさないことである。更に、従来の機構は、ムーブメント内に組み込むことが困難であり、ムーブメント内に構成要素を詰め込みすぎることになり、時計ケースの厚みを増大させるために時計の外観を損なう。最後に、この種の機構は、真夜中に機能が蓄積するのを回避するために月相表示機構を限定した時間、通常７ｐｍで作動させることを必要とし、ひげぜんまい付きてんぷにかなり大きな振幅の損失を生じさせる。
【先行技術文献】
【特許文献】
【０００５】
【特許文献１】欧州特許第２００９５１７号
【発明の概要】
【発明が解決しようとする課題】
【０００６】
こうした公知の技法の様々な欠点を克服することが、本発明の目的である。
【０００７】
より詳細には、月相のより現実的な表示をもたらす月相表示器を有する時計を提供することが本発明の目的である。
【０００８】
あまりエネルギーを使用せず、所定時間での作動を必要としない月相表示機構を提供することが本発明の別の目的である。
【０００９】
少なくとも特定の一実施形態では、実装が単純で安価である月相表示機構を提供することも、本発明の目的である。
【課題を解決するための手段】
【００１０】
以下でより明確になるこれらの目的は、他の目的に加えて、ムーブメント及び文字板を備える計時器のための月相表示機構を用いる本発明により達成され、月相表示機構は、少なくとも１つの月円盤及び少なくとも１つの月相列を備え、少なくとも１つの月相列は、文字板の下に配設し、計時器ムーブメントによって駆動され、月相列は、歯付きリングの形態を取る月相車と噛み合い、月相列によって、文字板の周辺で軸Ａ周りに月円盤を移動させるようにし、軸Ａは、文字板の中心に配置されている。
【００１１】
本発明によれば、月相車は、歯付きリング上に組み付けた中間部品により、月円盤を少なくとも間接的且つ固定式に保持し、中間部品は、文字板及びムーブメントを囲繞する。
【００１２】
したがって、本発明の主題は、上記した異なる機能及び構造の態様を通じて、より現実的な月相表示をもたらす、比較的小型な月相表示機構を提供することである。
【００１３】
本発明の他の有利な変形形態によれば、
−中間部品は、突出する外周縁を有するリングの形態を取り、外周縁の上に、月円盤を固着し、
−歯付きリングは、歯付きリングの内側縁上に配置した歯部を備え、歯付きリングは、歯数が１７５であり、
−月相表示デバイスは、月の一周期で文字板に対し一回転させるように構成した単一の月円盤を備え、
−計時器ムーブメントは、少なくとも１つの筒車を更に含み、筒車と月相車との伝達比は、０．０１６９３１６に等しく、
−月相表示デバイスは、月相列に作用することによって、月円盤の位置を修正するデバイスを含み、
−修正デバイスは、修正りゅうず、月相列と一体である少なくとも１つの修正車セット、及び月円盤の位置を修正する際に月相列の全て又は一部をムーブメントから分離するように構成した摩擦システムを備える。
【００１４】
本発明は、本発明による月相表示機構を含む計時器にも関する。
【００１５】
他の特徴及び利点は、添付の図面を参照しながら、非限定的な例として示す以下の詳細な説明から明らかになるであろう。
【図面の簡単な説明】
【００１６】
【図１ａ】本発明による月相表示機構を備える時計の斜視図である。
【図１ｂ】本発明による月相表示機構を備える時計の図１ａの分解図である。
【図２】本発明による月相表示機構を備える時計の上面図である。
【図３】本発明による月相表示機構を備える時計の斜視図である。
【図４】本発明による月相表示機構を備える時計の底面詳細図である。
【図５】本発明による月相表示機構を備える時計の部分断面図である。
【発明を実施するための形態】
【００１７】
次に、図１ａ、図１ｂ、図２、図３、図４及び図５を一緒に参照して、本発明による月相表示デバイスを説明する。
【００１８】
図１に示すように、時計１は、ムーブメント３を中に組み付ける筐体を形成するケース１０を含み、ケースには、ケース１０の前表面を閉鎖するガラス４が上に載っている。時計は、軸Ａを中心とする文字板形成組立体１１、及び文字板と協働して現在の時刻を表示する針１２も含む。文字板形成組立体１１は、時計の装着者が見ることができる装飾上側部、及び月相列の心棒を維持、案内するために使用する下側部を含む。
【００１９】
時計は、文字板１１の上に配置した、軸Ａの覆い１３も含み、覆い１３は、文字板１１を部分的に覆う。
【００２０】
時計は、覆い１３中に作製した開口１４によって形成した月相表示デバイス、及び覆い１３と組立体１１との間を回転するように組み付けた少なくとも１つの月円盤１５を備える。少なくとも１つの月円盤１５は、文字板１１の周囲を回転させるように文字板１１の外径部上に配設し、月円盤１５は、月円盤１５が開口１４内に出現する際に上弦の月を模し、月円盤１５が開口１４を離れる際に下弦の月を模するようにする。
【００２１】
第１の実施形態によれば、覆い１３は、固定式に組み付け、必要に応じて、北半球又は南半球の月相を表示することができる。
【００２２】
図５に見える別の実施形態によれば、覆い１３は、移動できるように構成することができ、この場合、月円盤１５が北半球の月相を表示する第１の位置から、月円盤１５が南半球の月相を表示する第２の位置に変更することができる。
【００２３】
本発明の特定の特徴によれば、月相表示機構は、月の一周期で文字板に対し一回転させるように構成した単一の月円盤１５を備える。
【００２４】
図示のように、覆い１３は、軸Ａを中心とし、円形開口１４を有し、円形開口１４は軸Ａに対して偏心する。
【００２５】
観察できるように、月相表示機構は、板１６の文字板側で、板１６と文字板形成組立体１１との間に組み付けられる。
【００２６】
月相列２０は、時計１のムーブメント３、より詳細には、図面では見えない筒車によって駆動する。月相列２０は、月円盤１５を少なくとも間接的且つ固定式に運ぶ月相車と噛み合うように構成する。
【００２７】
本発明によれば、月相車は、歯付きリング２７によって形成され、歯付きリング２７は、月相列２０と協働して、軸Ａ周りに月円盤１５を移動させるようにする。
【００２８】
より具体的には、月相列２０は、板１６上に組み付けられ、駆動車２１を備え、駆動車２１は、歯数が６０であり、歯数が２０の小歯車２２を支持し、小歯車２２は、歯数が４５の車２３と噛み合い、歯数が２０の小歯車２４を条片２３１と２３２との間に支持する。小歯車２４は、歯数が４７の車２５と噛み合い、車２５は、歯数が２０の小歯車２６と噛み合い、小歯車２６は、歯付きリング２７と協働し、歯付きリング２７は、歯数が７５であり、月円盤１５を受け入れる。この構成により、月円盤１５が文字板に対し２９．５３０６日で一回転することが可能になり、これは、月の一周期に正確に対応する。
【００２９】
したがって、筒車と月相車との間の伝達比は、０．０１６９３１６に等しい。そのような月相列２０を用いると、実際の月と機構の月との間の日々の差は、約５６秒であり、これは、１２８年につき１日の差異にほぼ対応し、即ち、比較的正確な機構である。
【００３０】
本発明の好ましい実施形態によれば、歯付きリング２７は、軸Ａを中心とする文字板の直径と実質的に同一の直径を有し、月を文字板１１の外周で移動させるようにする。図面で観察できるように、歯付きリング２７は、歯付きリング２７の内側縁上に配置した歯部２７０を備える。当然、当業者は、歯部を外側縁上に有する歯付きリング２７を有する同様の機構の再現に必要な知識を有している。
【００３１】
図５に観察されるように、歯付きリング２７は、中間部品５０上に組み付けられ、中間部品５０は、月円盤１５を支持し、月円盤１５は、例えばねじ５により中間部品上に固定することができる。有利には、中間部品は、文字板１１及びムーブメント３を囲繞する。有利には、図１で見える中間部品５０は、突出する外周縁を有するリングの形態を取り、外周縁の上に、月円盤１５を固着する。中間部品５０は、板１６上に載置され、ローラ、又は板１６上の摩擦を制限しながら中間部品５０を移動回転可能にするあらゆる他の手段を有することができる。月円盤１５、中間部品５０及び歯付きリング２７から構成される組立体は、組立て後、一体要素を形成し、この一体組立体が、月相列２０によって文字板に対し軸Ａ周りに回転する。
【００３２】
図５では、時計１が、軸Ａ周りに移動可能である覆い１３を備えることも観察され、覆い１３は、りゅうず２によって制御する駆動手段によって移動させることができる。
【００３３】
本発明によれば、月相表示機構は、月相列２０に作用するように構成した月相円盤の位置を修正するデバイスを備える。修正デバイスは、月相列２０と一体である少なくとも１つの修正車セットとの噛み合いによって協働するように構成した修正りゅうず２、及び月円盤位置を修正する際に月相列２０の全て又は一部をムーブメントから分離するように構成した摩擦システムを含む。
【００３４】
図４に示すように、修正デバイスは、少なくとも１つの修正小歯車４０を含み、少なくとも１つの修正小歯車４０は、修正小歯車４０が修正位置にあるときにりゅうず２と少なくとも間接的に噛み合うように構成される。修正小歯車４０は、歯付き修正車４１と噛み合い、歯付き修正車４１は、月相列２０の歯付き車２５と一体である中間歯付き車４２と噛み合う。
【００３５】
図２から図４で観察されるように、摩擦システムは、月相列２０の歯付き車２３によって形成される摩擦車を含む。修正車を係合すると、摩擦車２３によって保持される小歯車２４は、摩擦車２３を駆動回転させずに、条片２３１と２３２との間を回転する。
【００３６】
本発明は、本発明による月相表示機構を備える計時器にも関する。
【００３７】
当然、本発明は、図示の例に限定されず、異なる変形形態及び修正形態が可能であることは、当業者には明らかであろう。
【符号の説明】
【００３８】
１  時計
１０  ケース
１１  文字板
１２  針
１３  覆い
１４  開口
１５  月円盤
１６  板
２  りゅうず
３  ムーブメント
４  ガラス
５  中間部品
５０  ねじ
２０  月相列
２１  駆動車
２２  小歯車
２３  摩擦車
２３１  条片
２３２  条片
２４  小歯車
２５  車
２６  小歯車
２７  歯付きリング
２７０  歯部
４０  修正小歯車
４１  修正車
４２  中間車
Ａ  軸
【図１ａ】
0006405467.tif 000002
【図１ｂ】
0006405467.tif 000003
【図２】
0006405467.tif 000004
【図３】
0006405467.tif 000005
【図４】
0006405467.tif 000006
【図５】
0006405467.tif 000007